(57)【要約】【課題】測定装置の設置環境が限られている場合でも、画像表示装置が表示する画像の画質を正確に調整することが可能な、画像表示装置の画質調整方法を提供すること。【解決手段】画像を表示する画像表示装置の画質調整方法であって、最もムラが少なく表示される第１の画像を画像表示装置に表示させるステップと、第１の画像を撮像するステップと、該撮像された画像から第１の輝度分布データを生成するステップと、第２の画像を画像表示装置で表示させるステップと、第２の画像を撮像するステップと、該撮像された画像から第２の輝度分布データを生成するステップと、第１の輝度分布データと第２の輝度分布データとを用いて、画像表示装置に表示させる画像の画質を調整するステップと、を含むことを特徴とする、画像表示装置の画質調整方法が提供される。【選択図】図１
2009175615.tif 000002
【特許請求の範囲】
【請求項１】
画像を表示する画像表示装置の画質調整方法であって、
最もムラが少なく表示される第１の画像を前記画像表示装置に表示させるステップと、
前記第１の画像を撮像するステップと、
該撮像された画像から第１の輝度分布データを生成するステップと、
第２の画像を前記画像表示装置で表示させるステップと、
前記第２の画像を撮像するステップと、
該撮像された画像から第２の輝度分布データを生成するステップと、
前記第１の輝度分布データと前記第２の輝度分布データとを用いて、前記画像表示装置に表示させる画像の画質を調整するステップと、
を含むことを特徴とする、画像表示装置の画質調整方法。
【請求項２】
前記第２の画像は、前記第１の画像の撮像地点と同じ地点で撮像されることを特徴とする、請求項１に記載の画像表示装置の画質調整方法。
【請求項３】
前記第１の輝度分布データを生成した後に、前記第１の輝度分布データを記憶するステップをさらに含むことを特徴とする、請求項１に記載の画像表示装置の画質調整方法。
【請求項４】
前記画像表示装置の特性に合わせた第３の輝度分布データを予め生成するステップを更に含み、
前記第１の輝度分布データの代わりに前記第３の輝度分布データを用いて、前記画像表示装置に表示させる画像の画質を調整することを特徴とする、請求項１に記載の画像表示装置の画質調整方法。
【請求項５】
画像を表示する画像表示装置と、前記画像表示装置が表示する画像を撮像する測定装置と、前記測定装置で撮像された画像を用いて画像表示装置の画質を調整する情報処理装置と、を含む画像調整システムであって、
前記画像表示装置は、
画像を表示する画像表示部と、
前記画像表示部で表示される画像を生成する画像生成部と、
前記画像生成部で生成される画像の画質を調整する画質調整部と、
を含み、前記測定装置は、
前記画像表示部が表示した画像を撮像する撮像部と、
前記撮像部で撮像した画像から画像データを生成する画像データ生成部と、
を含み、前記情報処理装置は、
前記画像データ生成部で生成された画像データから輝度分布データを生成する輝度分布生成部と、
前記輝度分布生成部で生成された輝度データを記憶する記憶部と、
前記記憶部に記憶された輝度データを用いて前記画質調整部での調整を制御する機器制御部と、
を含み、
前記機器制御部は、前記画像表示部で表示した最もムラが少ない第１の画像から得られる第１の輝度データと、前記画像表示部で表示した第２の画像から得られる第２の輝度データとを用いて前記画質調整部での調整を制御することを特徴とする、画質調整システム。
【発明の詳細な説明】
【技術分野】
【０００１】
本発明は、画像表示装置の画質調整方法および画質調整システムに関する。
【背景技術】
【０００２】
劇場や映画館等に設置される大画面の画像表示装置は、表示される画像にムラが生じないように工場出荷時において画質の調整が行われている。しかし、画像表示装置を設置する設置環境や設置位置によっては、画像表示装置を設置して画像を表示させると、表示させる画像にムラが生じる場合がある。さらに、設置時には表示される画像にムラが生じていない場合であっても、装置の経年劣化等の要因により、表示される画像にムラが生じてしまう場合もある。そこで、このような画像表示装置が表示する画像の画質を、ムラが出ないように調整する画質調整システムが用いられている。
【０００３】
かかる画質調整システムを用いて画像表示装置の画質を調整する際には、画像表示装置から表示される画像を、画像が表示される画像表示面の正面からデジタルカメラ等の測定装置で撮影し、撮影した画像から輝度分布（撮影画像の輝度の値の、画像全体における分布）を作成する。そしてその輝度分布が、あらかじめ用意したムラが無い輝度分布（以下、このムラが無い輝度分布のことを「理想輝度分布」とも称する）と一致するように画像表示装置の画質を、例えば画像表示装置に接続されたパーソナルコンピュータ等の情報処理装置を用いて調整する。このように画像表示装置の画質を調整することで、設置環境の変化や装置の経年劣化等によって生じる表示画像のムラを補正し、均一な輝度で画像を表示させることができる。
【発明の開示】
【発明が解決しようとする課題】
【０００４】
この理想輝度分布は、従来は、工場出荷時に測定された値があらかじめ情報処理装置等に格納されているなどによって、固定値で用意されていた。しかし、画像表示装置の設置環境によっては、画像表示面の正面から、画像表示装置によって表示された画像を測定装置で撮影することが困難である。従って、測定装置の設置位置によって輝度の測定値が大きく変化し、その結果、輝度分布が大きく異なることから、画像表示装置の画質を正しく調整できない問題があった。
【０００５】
例えば、画像表示面に対して斜め方向から画像を撮影すると、測定値は距離の二乗に反比例するため、実際には輝度が等しい場合であっても、測定装置に近い場所は相対的に輝度が高く測定され、逆に測定装置から遠い場所は相対的に輝度が低く測定されてしまう。通常、理想輝度分布を固定値で用意する場合には、測定装置が画像表示面に対して中央正面に設置されているものとして設定されているので、測定装置を画像表示面に対して斜め方向にしか設置できない場合には、測定装置に近い場所の調整結果が暗くなり、遠い場所は明るく調整されてしまう問題があった。
【０００６】
そこで、本発明は、上記問題に鑑みてなされたものであり、本発明の目的とするところは、測定装置の設置環境が限られている場合でも、画像表示装置が表示する画像の画質を正確に調整することが可能な、新規かつ改良された画像表示装置の画質調整方法および画質調整システムを提供することにある。
【課題を解決するための手段】
【０００７】
上記課題を解決するために、本発明のある観点によれば、画像を表示する画像表示装置の画質調整方法であって、最もムラが少ない第１の画像を画像表示装置で表示させるステップと、第１の画像を撮像するステップと、該撮像された画像から第１の輝度分布データを生成するステップと、第２の画像を画像表示装置で表示させるステップと、第２の画像を撮像するステップと、該撮像された画像から第２の輝度分布データを生成するステップと、第１の輝度分布データと第２の輝度分布データとを用いて、画像表示装置に表示させる画像の画質を調整するステップと、を含むことを特徴とする、画像表示装置の画質調整方法が提供される。
【０００８】
かかる構成によれば、最もムラが少ない第１の画像を画像表示装置で表示させ、画像表示装置に表示させた第１の画像を撮像し、第１の画像の撮像結果から第１の輝度分布データを生成する。また、第２の画像を画像表示装置で表示させ、画像表示装置に表示させた第２の画像を撮像し、第２の画像の撮像結果から第２の輝度分布データを生成する。そして、このように生成された第１の輝度分布データと第２の輝度分布データとを用いて、画像表示装置に表示させる画像の画質を調整する。その結果、最もムラが少なく表示される画像から輝度分布データを生成し、当該輝度分布データを基準として画像表示装置に表示させる画像の画質を調整することができる。
【０００９】
第２の画像は、第１の画像の撮像地点と同じ地点で撮像される画像であってもよい。その結果、第１の画像および第２の画像を撮像する位置が、例えば画像表示装置が画像を表示する画像表示面の真正面以外の場所であっても、第１の画像と第２の画像との撮像地点が同じ地点であれば、第１の輝度分布データおよび第２の輝度分布データを用いて、画像表示装置に表示させる画質を調整することができる。
【００１０】
第１の輝度分布データを生成した後に、第１の輝度分布データを記憶するステップをさらに含んでいてもよい。その結果、第１の輝度分布データを記憶しておき、その後画像表示装置に表示させる画像にムラが生じた際に、記憶しておいた第１の輝度分布データを用いて、画像表示装置に表示させる画質を調整することができる。
【００１１】
画像表示装置の特性に合わせた第３の輝度分布データを予め生成するステップをさらに含み、第１の輝度分布データの代わりに第３の輝度分布データを用いて、画像表示装置に表示させる画像の画質を調整してもよい。かかる構成によれば、表示装置の特性に合わせた第３の輝度分布データを予め、例えば工場出荷前等の時点で生成しておき、第１の輝度分布データの代わりに、予め生成した第３の輝度分布データを用いて、画像表示装置に表示させる画像の画質の調整を行う。その結果、最もムラが少なくなるような画像を画像表示装置で表示させた場合であってもムラが生じてしまうような場合では、予め生成しておいた第３の輝度分布データを用いて、画像表示装置に表示させる画像の画質を調整することができる。
【００１２】
また、上記課題を解決するために、本発明の別の観点によれば、画像を表示する画像表示装置と、画像表示装置が表示する画像を撮像する測定装置と、測定装置で撮像された画像を用いて画像表示装置の画質を調整する情報処理装置と、を含む画像調整システムであって、画像表示装置は、画像を表示する画像表示部と、画像表示部で表示される画像を生成する画像生成部と、画像生成部で生成される画像の画質を調整する画質調整部と、を含み、測定装置は、画像表示部が表示した画像を撮像する撮像部と、撮像部で撮像した画像から画像データを生成する画像データ生成部と、を含み、情報処理装置は、画像データ生成部で生成された画像データから輝度分布データを生成する輝度分布生成部と、輝度分布生成部で生成された輝度データを記憶する記憶部と、記憶部に記憶された輝度データを用いて画質調整部での調整を制御する機器制御部と、を含み、機器制御部は、画像表示部で表示した最もムラが少ない第１の画像から得られる第１の輝度データと、画像表示部で表示した第２の画像から得られる第２の輝度データとを用いて画質調整部での調整を制御することを特徴とする、画質調整システムが提供される。
【００１３】
かかる構成によれば、画像表示部は画像を表示し、画像生成部は画像表示部で表示される画像を生成し、画質調整部は画像生成部で生成される画像の画質を調整する。また、撮像部は、画像表示部が表示した画像を撮像し、画像データ生成部は、撮像部で撮像した画像から画像データを生成する。また、輝度分布生成部は、画像データ生成部で生成された画像データから輝度分布データを生成し、記憶部は、輝度分布生成部で生成された輝度データを記憶し、機器制御部は、記憶部に記憶された輝度データを用いて画質調整部での調整を制御する。そして、機器制御部は、画像表示部で表示した最もムラが少ない第１の画像から得られる第１の輝度データと、画像表示部で表示した第２の画像から得られる第２の輝度データとを用いて画質調整部での調整を制御する。その結果、最もムラが少なく表示される画像から輝度分布データを生成し、当該輝度分布データを基準として画像表示装置に表示させる画像の画質を調整することができる。
【発明の効果】
【００１４】
以上説明したように本発明によれば、測定装置の設置環境が限られている場合でも、画像表示装置が表示する画像の画質を正確に調整することが可能な、新規かつ改良された画像表示装置の画質調整方法および画質調整システムを提供することができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
まず、本発明の一実施形態にかかる画質調整システムの構成について説明する。図１は、本発明の一実施形態にかかる画質調整システム１０の構成について説明する説明図であり、図２は、本発明の一実施形態にかかる画質調整システム１０の構成例について説明する説明図である。以下、図１および図２を用いて本発明の一実施形態にかかる画質調整システム１０の構成について説明する。
【００１７】
図１に示したように、本発明の一実施形態にかかる画質調整システム１０は、信号処理装置１００と、測定器１４０と、表示機器１６０と、を含んで構成される。
【００１８】
信号処理装置１００は、本発明の情報処理装置の一例であり、測定器１４０で撮像された画像を用いて表示機器１６０が表示する画像の画質を調整する装置である、信号処理装置１００としては、例えばデスクトップ型やノート型のパーソナルコンピュータ（ＰＣ）を用いてもよい。
【００１９】
測定器１４０は、本発明の測定装置の一例であり、表示機器１６０によって表示された画像の撮像を行うものである。測定器１４０で撮像した画像は信号処理装置１００に送られる。信号処理装置１００では、測定器１４０で撮像された画像から輝度分布データを生成し、生成した輝度分布データを用いることで表示機器１６０の画質を調整する。
【００２０】
表示機器１６０は、画像信号の入力を受けて、入力された該画像信号に基づいて画像の表示を行うものである。表示機器１６０で表示する画像は動画像であってもよく、静止画像であってもよい。表示機器１６０は、例えば画像をスクリーンに投影するプロジェクタであってもよく、ＬＣＤ（Ｌｉｑｕｉｄ  Ｃｒｙｓｔａｌ  Ｄｉｓｐｌａｙ；液晶ディスプレイ）等の表示装置に画像を表示する表示装置であってもよい。本実施形態では、表示機器１６０は画像をスクリーンに投影することで表示するプロジェクタであるとして説明する。
【００２１】
図２に、本発明の一実施形態にかかる画質調整システム１０の構成例を示す。表示機器１６０は、スクリーン１８０に画像を投影することで画像を表示する。表示機器１６０からスクリーン１８０に投影される画像を調整する際には、表示機器１６０からスクリーン１８０に均一な色および明るさの画像を表示し、表示された画像を測定器１４０で撮影する。そして、撮影した画像を測定器１４０から信号処理装置１００に送り、信号処理装置１００において撮影した画像の輝度分布データを作成し、輝度分布データが表示機器１６０の理想輝度分布に近づくように、信号処理装置１００から表示機器１６０を制御する。
【００２２】
以上、図１および図２を用いて、本発明の一実施形態にかかる画質調整システム１０の構成について説明した。次に、本発明の一実施形態にかかる信号処理装置１００のハードウェア構成について説明する。
【００２３】
図３は、本発明の一実施形態にかかる信号処理装置１００のハードウェア構成について説明する説明図である。以下、図３を用いて本発明の一実施形態にかかる信号処理装置１００のハードウェア構成について説明する。
【００２４】
図３は、本発明の一実施形態にかかる信号処理装置１００の構成について説明する説明図である。以下、図３を用いて本発明の一実施形態にかかる信号処理装置１００の構成について説明する。
【００２５】
図２に示したように、本発明の一実施形態にかかる信号処理装置１００は、ＣＰＵ（Ｃｅｎｔｒａｌ  Ｐｒｏｃｅｓｓｉｎｇ  Ｕｎｉｔ）１０２と、ＲＯＭ（Ｒｅａｄ  Ｏｎｌｙ  Ｍｅｍｏｒｙ）１０４と、ＲＡＭ（Ｒａｎｄｏｍ  Ａｃｃｅｓｓ  Ｍｅｍｏｒｙ）１０６と、内部バス１０８と、入出力インタフェース１１０と、表示部１１２と、入力部１１４と、音声出力部１１５と、ＨＤＤ（Ｈａｒｄ  Ｄｉｓｋ  Ｄｒｉｖｅ）１１６と、ドライブ１１７と、ネットワークインタフェース１１８と、外部インタフェース１１９と、を含んで構成される。
【００２６】
ＣＰＵ１０２は、数値計算や情報処理、機器制御等を行うものであり、ＲＯＭ１０４に格納されたプログラムや、ＲＡＭ１０６に格納されたデータを順次読み出すことによって、また、例えば信号処理装置１００のユーザが入力部１１４から入力した指令に対応する信号や、ネットワークインタフェース１１８を介して外部の機器から送信された信号に基づいて、数値計算や情報処理、機器制御を行う。
【００２７】
ＲＯＭ１０４は、ＣＰＵ１０２が数値計算や情報処理、機器制御等を行う際に使用するプログラムや演算用のパラメータのうち、基本的に変更されず固定のデータを格納するものである。また、ＲＡＭ１０６は、ＣＰＵ１０２が数値計算や情報処理、機器制御等を行う際に使用するプログラムや演算用のパラメータのうち、基本的に各種処理の際に適宜変化するデータを格納するものである。
【００２８】
内部バス１０８は、信号処理装置１００の内部でデータの交換を行う際の経路である。ＣＰＵ１０２、ＲＯＭ１０４、ＲＡＭ１０６は、内部バス１０８によってそれぞれ相互に接続されている。また、内部バスは入出力インタフェース１１０とも接続されており、入出力インタフェース１１０を介して送られる、入力部１１４から入力した指令に対応する信号や、ネットワークインタフェース１１８を介して信号処理装置１００とネットワークで接続される他の機器から送信された信号をＣＰＵ１０２に渡す。
【００２９】
入出力インタフェース１１０は、情報の入出力のやり取りの仲介を行うものである。入出力インタフェース１１０は、表示部１１２、入力部１１４、音声出力部１１５、ドライブ１１７、ネットワークインタフェース１１８および外部インタフェース１１９に接続される。また入出力インタフェース１１０は、上述のように内部バス１０８とも接続されており、入力部１１４から入力した指令に対応する信号や、ネットワークインタフェース１１８を介して信号処理装置１００とネットワークで接続される他の機器から送信された信号を、内部バス１０８を介してＣＰＵ１０２に渡す。
【００３０】
表示部１１２は、入力部１１４から入力された内容や、ＣＰＵ１０２で数値計算や情報処理、機器制御等を行った結果等に関する情報を表示するものである。表示部１１２は、例えば液晶表示装置や有機ＥＬ表示装置等からなる。
【００３１】
入力部１１４は、例えば信号処理装置１００のユーザが、ＣＰＵ１０２に対して各種の指令を入力する際に操作されるものである。入力部１１４としては、例えばボタン、キーボードやタッチパッド等からなる。
【００３２】
音声出力部１１５は、信号処理装置１００において音声の出力を伴うような処理を実行した際に、当該処理において発生する音声を出力するものである。ＨＤＤ１１６は、内部にハードディスクを設け、設けられたハードディスクを駆動し、ＣＰＵ１０２によって読み出されて実行されるプログラムや情報（例えば音声ファイルや動画ファイルなど）を記録・再生するものである。ドライブ１１７は、持ち運び可能な記録媒体が装着され、装着された記録媒体と信号処理装置１００との間でデータの授受を行うものである。持ち運び可能な記録媒体として、磁気ディスク、光ディスク、光磁気ディスク、半導体メモリ等を用いてもよく、ドライブ１１７はこれらの記録媒体を読み取ることができるような装置を用いることができる。
【００３３】
ネットワークインタフェース１１８は、信号処理装置１００とネットワークで接続される他の機器、例えば携帯端末２００との間で無線または有線によって情報の授受を行うものである。外部インタフェース１１９は、信号処理装置１００に接続して使用する周辺機器、例えば携帯端末２００との間で情報のやり取りの仲介を行うものである。外部インタフェース１１９として、例えばＵＳＢ（Ｕｎｉｖｅｒｓａｌ  Ｓｅｒｉａｌ  Ｂｕｓ）ポート等からなる。
【００３４】
以上、図３を用いて本発明の一実施形態にかかる信号処理装置１００のハードウェア構成について説明した。次に、本発明の一実施形態にかかる表示機器１６０の機能構成について説明する。
【００３５】
図４は、本発明の一実施形態にかかる表示機器１６０の機能構成についてブロック図で説明する説明図である。以下、図４を用いて本発明の一実施形態にかかる表示機器１６０の機能構成について説明する。
【００３６】
図４に示したように、本発明の一実施形態にかかる表示機器１６０は、画像生成部１６２と、画質調整部１６４と、画像投影部１６６と、を含んで構成される。
【００３７】
画像生成部１６２は、画像投影部１６６から投影する画像を生成するものである。画像投影部から投影する画像は、例えば外部の映像信号生成装置（図示せず）のような装置から送られた画像信号に基づいて生成される。そして、画像生成部１６２で生成した画像を画像投影部１６６からスクリーン１８０に投影することで画像を見ることができる。
【００３８】
画質調整部１６４は、画像投影部１６６から投影する画像を画像生成部１６２で生成する際に、投影する画像の画質を調整するものである。調整する項目としては、例えば画像の明るさのムラの調整がある。画質調整部１６４から画像生成部１６２に対して画質の調整を行うことで、画像投影部１６６から投影される画像のムラを補正し、画面全体に渡って均一な明るさの画像を表示することができる。
【００３９】
画像投影部１６６は、画像生成部１６２で生成された画像をスクリーン１８０に向けて投影するものである。画像投影部１６６には、図示しないが、例えば表示機器１６０が液晶プロジェクタである場合には、画像を投影するための光源ランプや、光源ランプからの光を透過させるための液晶パネル等が含まれる。
【００４０】
以上、本発明の一実施形態にかかる表示機器１６０の機能構成について説明した。次に、本発明の一実施形態にかかる測定器１４０の機能構成について説明する。
【００４１】
図５は、本発明の一実施形態にかかる測定器１４０の機能構成について説明する説明図である。以下、図５を用いて本発明の一実施形態にかかる測定器１４０の機能構成について説明する。
【００４２】
図５に示したように、本発明の一実施形態にかかる測定器１４０は、撮像部１４２と、画像データ生成部１４４と、画像データ送信部１４６と、を含んで構成される。
【００４３】
撮像部１４２は、表示機器１６０からスクリーン１８０に投影された画像の撮像を行うものである。撮像部１４２で撮像された画像は画像データ生成部１４４に送られる。図５には図示しないが、撮像部１４２には被写体にピントを合わせるためのフォーカスレンズ、撮像する被写体の大きさを変化させるためのズームレンズ、光量を調整するための絞り等を含んでいてもよい。
【００４４】
画像データ生成部１４４は、撮像部１４２で撮像された画像から、信号処理装置１００で信号処理を行えるように画像データを生成するものである。画像データ生成部１４４では、例えばＪＰＥＧ等のフォーマットで画像データを生成する。画像データ生成部１４４で生成した画像データは、画像データ送信部１４６から信号処理装置１００に送られる。
【００４５】
画像データ送信部１４６は、上述したように、画像データ生成部１４４で生成された画像データを信号処理装置１００に送信するものである。画像データ送信部１４６から画像データを信号処理装置１００に送信することで、信号処理装置１００において画像データに対して信号処理を施すことができるようになる。
【００４６】
以上、図５を用いて本発明の一実施形態にかかる測定器１４０の機能構成について説明した。次に、本発明の一実施形態にかかる信号処理装置１００の機能構成について説明する。
【００４７】
図６は、本発明の一実施形態にかかる信号処理装置１００の機能構成について説明する説明図である。以下、図６を用いて本発明の一実施形態にかかる信号処理装置１００の機能構成について説明する。
【００４８】
図６に示したように、本発明の一実施形態にかかる信号処理装置１００は、画像データ受信部１２２と、輝度分布生成部１２３と、記憶部１２４と、表示機器制御部１２６と、モード切換部１２８と、を含んで構成される。
【００４９】
画像データ受信部１２２は、測定器１４０の画像データ送信部１４６から送られた、スクリーン１８０に投影された画像の画像データを受信するものである。画像データ受信部１２２で受信した画像データは、輝度分布生成部１２３に送られる。
【００５０】
輝度分布生成部１２３は、画像データ受信部１２２が受信した画像データに対して信号処理を施して、画像全体の輝度の分布データ（輝度分布データ）を生成するものである。輝度分布生成部１２３は、画像データから各画素の輝度データを取得し、取得した輝度データに対して、例えばＬＰＦ（Ｌｏｗ  Ｐａｓｓ  Ｆｉｌｔｅｒ）等を用いてスムージング処理を行うことによって、輝度分布データを生成する。
【００５１】
記憶部１２４は、輝度分布生成部１２３で生成された輝度分布データを格納するものである。記憶部１２４に輝度分布データを格納することで、輝度分布データを用いて表示機器１６０がスクリーン１８０に投影する画像の画質を調整することができる。
【００５２】
表示機器制御部１２６は、表示機器１６０がスクリーン１８０に投影する画像の画質を、ムラが無く表示されるように調整するものである。表示機器制御部１２６で画質を調整する際には、記憶部１２４に記憶した輝度分布データを用いることによって行う。
【００５３】
モード切換部１２８は、表示機器１６０の画質を調整する際に、記憶部１２４に記憶した輝度分布データを用いて調整を行うモードで調整するか、表示機器１６０の特性に合わせて予め作成された理想輝度分布データを用いて調整を行うモードで調整するかを切り換えるものである。表示機器１６０の設置環境によっては、最もムラが少なくなるように画質を調整してもムラが生じてしまう場合がある。そのような場合に、スクリーン１８０に投影された画像を測定器１４０で撮影して輝度分布データを作成しても、ムラが生じている画像を基に生成された輝度分布データで調整を行っても正確に調整できない。そのため、モード切換部１２８を設けることで、設置環境に応じて好適に調整することができる。
【００５４】
なお、表示機器１６０の特性に合わせて生成された理想輝度分布データとは、例えば表示機器１６０がプロジェクタである場合には、画面の中央から画面の端部に向かって輝度が下がっていく特性を有するので、画面の中央から画面の端部に向かって輝度がなだらかに下降する特性を有する輝度分布データのことである。
【００５５】
以上、図６を用いて本発明の一実施形態にかかる表示機器１６０の機能構成について説明した。次に、本発明の一実施形態にかかる画質調整方法について説明する。
【００５６】
図７は、本発明の一実施形態にかかる画質調整方法における、理想輝度分布データの取得方法について説明する流れ図である。以下、図７を用いて本発明の一実施形態にかかる理想輝度分布データの取得方法について説明する。
【００５７】
まず、表示機器１６０を実際に画像の表示を行う環境（例えば映画館等）に設置した後において、表示機器１６０において、本発明の第１の画像の一例である、表示機器１６０で表示できる最もムラが少ない画像を表示させる（ステップＳ１０２）。表示機器１６０で表示できる最もムラが少ない画像とは、一般的には最も明るい輝度で表示される画像に相当する。表示機器１６０で表示できる最もムラが少ない画像を表示させると、続いて表示機器１６０の表示面（本実施形態においては、表示機器１６０が、当該ムラの少ない画像を投影したスクリーン１８０）を、測定器１４０で撮影して取り込む（ステップＳ１０４）。
【００５８】
測定器１４０で表示面を撮影すると、測定器１４０で測定した表示面の画像を信号処理装置１００に送信する（ステップＳ１０６）。表示面の画像を受信した信号処理装置１００は、測定データの輝度分布についてＬＰＦ等でスムージング処理を行い、本発明の第１の輝度分布データの一例である、理想輝度分布を得る（ステップＳ１０８）。そして、得られた理想輝度分布のデータを信号処理装置１００の内部に保存する（ステップＳ１１０）。本実施形態においては、理想輝度分布のデータは信号処理装置１００の記憶部１２４に記憶する。そして、保存した理想輝度分布データを、表示機器１６０の画質の調整に用いる。
【００５９】
以上、図７を用いて本発明の一実施形態にかかる画質調整方法における、理想輝度分布データの取得方法について説明した。次に、本発明の一実施形態にかかる画質調整方法について説明する。
【００６０】
図８は、本発明の一実施形態にかかる画質調整方法について説明する流れ図である。以下、図８を用いて本発明の一実施形態にかかる表示機器の画質調整方法について説明する。なお、図８に示した本発明の一実施形態にかかる表示機器の画質調整方法は、図７に示した理想輝度分布データの取得方法等によって、表示機器１６０の理想輝度分布データを予め取得しているものとして説明する。
【００６１】
まず、本発明の第２の画像の一例である、画質の調整対象となる画像を表示機器１６０で表示させる（ステップＳ１１２）。画質の調整対象となる画像とは、例えば上記ステップＳ１０２で表示させた画像とは異なる輝度で表示される画像のことである。なお、ステップＳ１１２における画像の撮影は、上記ステップＳ１０４における撮影と同一の測定器１４０で撮影することが望ましい。
【００６２】
画質の調整対象となる画像を表示機器１６０で表示させると、続いて表示機器１６０の表示面（本実施形態においては、表示機器１６０が、当該画質の調整対象となる画像を投影したスクリーン１８０）を、測定器１４０で撮影して取り込む（ステップＳ１１４）。なお、画質の調整対象となる画像の撮影は、理想輝度分布を取得した際に画像を撮影した地点と同じ地点であることが望ましい。測定器１４０で表示面を撮影すると、測定器１４０で測定した表示面の画像を信号処理装置１００に送信する（ステップＳ１１６）。信号処理装置１００では、受信した画像から、本発明の第２の輝度分布データの一例である、第２の画像についての輝度分布データを作成する。
【００６３】
受信した画像の輝度分布データを作成すると、予め取得して記憶部１２４に記憶しておいた表示機器１６０の理想輝度分布データと、作成した輝度分布データとを比較して、測定値と理想輝度分布とが等しくなるように、表示機器１６０を調整する（ステップＳ１１８）。
【００６４】
調整の結果、測定結果と調整目標との誤差が、予め定めた規定値以内であるかどうかを判断する（ステップＳ１２０）。判断の結果、測定結果と調整目標との誤差が、予め定めた規定値以内である場合には、表示機器１６０の画質調整を終了する。一方、測定結果と調整目標との誤差が、予め定めた規定値以内で無い場合には、上記ステップＳ１１８に戻り、作成した輝度分布データとを比較して、測定値と理想輝度分布とが等しくなるように、表示機器１６０を調整する。
【００６５】
以上、図８を用いて本発明の一実施形態にかかる、表示機器の画質調整方法について説明した。
【００６６】
なお、上記ステップＳ１０２で、表示機器１６０で表示できる最もムラが少ない画像を表示させたが、最もムラが少ない画像を表示させてもムラが目立つ場合には、予め工場出荷前の段階で、本発明の第３の輝度分布データの一例である、表示機器１６０の特性に合わせた輝度分布データを生成し、生成した輝度分布データを、例えば信号処理装置１００の記憶部１２４に記憶してもよい。そして、モード切換部１２８を用いて、予め生成しておいた輝度分布データを用いて表示機器１６０で表示させる画像の画質を調整するモードに切り換えてもよい。
【００６７】
以上説明したように、本発明の一実施形態によれば、測定装置の設置環境が限られている場合でも、画像表示装置が表示する画像の画質を正確に調整することができる。
【００６８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６９】
【図１】本発明の一実施形態にかかる画質調整システム１０の構成について説明する説明図である。
【図２】本発明の一実施形態にかかる画質調整システム１０の構成例について説明する説明図である。
【図３】本発明の一実施形態にかかる信号処理装置１００のハードウェア構成について説明する説明図である。
【図４】本発明の一実施形態にかかる表示機器１６０の機能構成について説明する説明図である。
【図５】本発明の一実施形態にかかる測定器１４０の機能構成について説明する説明図である。
【図６】本発明の一実施形態にかかる信号処理装置１００の機能構成について説明する説明図である。
【図７】理想輝度分布データの取得方法について説明する流れ図である。
【図８】本発明の一実施形態にかかる画質調整方法について説明する流れ図である。
【符号の説明】
【００７０】
１０  画質調整システム
１００    信号処理装置
１２２    画像データ受信部
１２３    輝度分布生成部
１２４    記憶部
１２６    表示機器制御部
１２８    モード切換部
１４０    測定器
１４２    撮像部
１４４    画像データ生成部
１４６    画像データ送信部
１６０    表示機器
１６２    画像生成部
１６４    画質調整部
１６６    画像投影部
１８０    スクリーン
【図１】
2009175615.tif 000003
【図２】
2009175615.tif 000004
【図３】
2009175615.tif 000005
【図４】
2009175615.tif 000006
【図５】
2009175615.tif 000007
【図６】
2009175615.tif 000008
【図７】
2009175615.tif 000009
【図８】
2009175615.tif 000010